(57)【要約】【解決手段】ボディスーツ、ノースリーブのトップ、アンダーシャツ、ブラジャー、パンツ等のような側方の縫目のない衣類を形成するニット製品を円形編機により製造する方法は、ニードルシリンダの少なくとも一つのセクターに属する針の全部又は一部が、編機の少なくとも一つのフィード又はドロップで編成するために移動し、編機のニードルシリンダが、前述の少なくとも一つのフィードで編成するために移動する少なくとも一つのセクターの針全部がそのフィードで通過するのに十分な振幅の範囲で、その軸回りに反復回動し、これらの針によってプリセット数の編成列を形成して、タブ(１ａ、１ｂ、１ｃ、１ｄ、２ａ、２ｂ、２ｃ、２ｄ、３ａ、３ｂ)を形成する少なくとも一つのステップを備える。
2008530375.tif 000002
【特許請求の範囲】
【請求項１】
ボディスーツ、ノースリーブのトップ、アンダーシャツ、ブラジャー、パンツ等のような側方の縫目のない衣類を形成するニット製品を円形編機により製造する方法において、
ニードルシリンダのセクターに属する針の全部又は一部が、編機の少なくとも一つのフィード又はドロップで編成するために移動し、編機のニードルシリンダが、前記少なくとも一つのフィードで編成するために移動する前記少なくとも一つのセクターにある針全部が前記少なくとも一つのフィードで通過するのに十分な振幅の範囲で、その軸回りに反復回動し、前記少なくとも一つのフィードで編成するために移動する前記少なくとも一つのセクターの針によってプリセット数の編成列を形成して、タブ（１ａ、１ｂ、１ｃ、１ｄ、２ａ、２ｂ、２ｃ、２ｄ、３ａ、３ｂ）を形成する少なくとも一つのステップを備えることを特徴とする方法。
【請求項２】
タブ（１ａ、１ｂ、１ｃ、１ｄ、２ａ、２ｂ、２ｃ、２ｄ、３ａ、３ｂ）を形成する前記ステップが、編機のニードルシリンダの延長部の全周に沿って分配された針が、編機の少なくとも一つのフィード又はドロップで編成するために移動して、編地の管状部分（１１、１２、２１、２２、２４、２５）を形成する少なくとも一つのステップに続くか先行することを特徴とする請求項１に記載の方法。
【請求項３】
編地の管状部分(１１、１２、２１、２２、２４、２５)を形成する前記ステップが、ニードルシリンダをその軸回りに連続回転させることによって実行されることを特徴とする請求項１又は２に記載の方法。
【請求項４】
前記タブの形成ステップ中、前記セクターの両端近傍に配置されたプリセット数の針が、一対一の作動しない構成で針を選択して前記少なくとも一つのフィードで作動することを特徴とする請求項１から３のいずれかに記載の方法。
【請求項５】
前記タブの形成ステップ中、前記セクターの両端近傍に配置されたプリセット数の針が、一対一のタック−ステッチ位置で針を選択して前記少なくとも一つのフィードで作動することを特徴とする請求項１から４のいずれかに記載の方法。
【請求項６】
前記少なくとも一つのフィードで編成するために移動する前記セクターの針の数が、プリセット・プログラムに応じて変えられることを特徴とする請求項１から５のいずれかに記載の方法。
【請求項７】
請求項１から６のいずれかに記載の、肩ひもを備えた衣類（１０、２０）を形成するニット製品を製造する方法であり、前記タブ（１ａ、１ｂ、１ｃ、１ｄ、２ａ、２ｂ、２ｃ、２ｄ、３ａ、３ｂ）が衣類（１０、２０）の肩ひもを構成する方法において、
ニードルシリンダ軸回りに互いに角度をつけて離隔されたニードルシリンダの四つのセクターに属する針が、前記セクター毎に異なるフィードで編成するために移動し、ニードルシリンダが、編成するために移動する関連したセクターの針全部が対応するフィードの前方で通過するような振幅の範囲で、その軸回りに反復回動して、肩ひも（１ａ÷１ｄ、２ａ÷２ｄ）を形成するステップと、
ニードルシリンダがその軸回りに連続回転して、編機の少なくとも一つのフィード又はドロップで、編成するために、ニードルシリンダの延長部の全周に沿って分配されたニードルシリンダの針の全部又は一部を移動させることによって編地の少なくとも一つの管状部分（１１、１２、２１、２２）を形成する少なくとも一つのステップを備えた、製品（１０、２０）の残り部分を形成するステップとを備えることを特徴とする方法。
【請求項８】
請求項１から７のいずれかに記載の、パンツ（３０）等のような衣類を形成するニット製品を製造する方法であり、前記タブ（３ａ、３ｂ）が、脚部切断部間に配置されたパンツ（３０）の前方領域及び後方領域を構成する方法において、
ニードルシリンダ軸回りに互いに角度をつけて離隔されたニードルシリンダの二つのセクターに属する針が、前記セクター毎に異なるフィードで編成するために移動し、ニードルシリンダが、編成するために移動する関連したセクターの針全部が対応するフィードの前方で通過するような振幅の範囲で、その軸回りに反復回動し、パンツ（３０）の前方領域及び後方領域を形成するステップと、
ニードルシリンダがその軸回りに連続回転して、編機の少なくとも一つのフィード又はドロップで、編成するために、ニードルシリンダの延長部の全周に沿って分配された、ニードルシリンダの針の全部又は一部を移動させることによって、編地の少なくとも一つの管状部分（３１）を形成する少なくとも一つのステップを備えた、製品の残り部分を形成するステップとを備えることを特徴とする方法。
【請求項９】
製品（２０）の残り部分を形成する前記ステップが、ニードルシリンダの少なくとも一つのセクターに属する針の全部又は一部が、編機の少なくとも一つのフィードで編成するために移動し、編機のニードルシリンダを、前記少なくとも一つのフィードで編成するために移動する前記少なくとも一つのセクターの針全部が、前記少なくとも一つのフィードで通過するのに十分な振幅の範囲で、その軸回りに反復回動し、前記少なくとも一つのセクターに属する針で、前記セクターに属さない針によって形成された編成列の数に対してより多くの編成列を形成して、ポケット状の領域（２５ａ、２５ｂ）を形成するステップを備えることを特徴とする請求項１から８のいずれかに記載の方法。
【請求項１０】
ポケット状の領域（２５ａ、２５ｂ）を形成する前記ステップ中、編地の一部の列が、前記少なくとも一つのフィードで、編成するためにニードルシリンダの延長部の全周に沿って分配された針の全部又は一部を移動させることによって形成されることを特徴とする請求項１から９のいずれかに記載の方法。
【請求項１１】
ポケット状の領域（２５ａ、２５ｂ）を形成する前記ステップ中、前記セクターに属し、対応するフィードで編成するために移動する針の数が徐々に増加することを特徴とする請求項１から１０のいずれかに記載の方法。
【請求項１２】
ポケット状の領域（２５ａ、２５ｂ）を形成する前記ステップ中、前記セクターに属し、対応するフィードで編成するために移動する針の数が徐々に減少することを特徴とする請求項１から１１のいずれかに記載の方法。
【請求項１３】
編地の二重折り畳み仕上げ縁を形成するステップを備えていることを特徴とする請求項１から１２のいずれかに記載の方法。
【発明の詳細な説明】
【技術分野】
【０００１】
本発明は、ボディスーツ、ノースリーブのトップ、アンダーシャツ、ブラジャー、パンツ等のような側方の縫目のない衣類を形成するニット製品を円形編機により製造する方法に関する。
【背景技術】
【０００２】
公知のように、ボディスーツ、ノースリーブのトップ、アンダーシャツ、ブラジャー、パンツ等のタイプの、側方の縫目のない衣類を形成するニット製品を円形編機により製造する方法では、主たる問題の一つは、衣類の肩ひも又はパンツの前方領域及び後方領域、より一般的にいえば、衣類の周縁拡張部にある空き領域と交互にある衣類の連続領域を構成するように設計されたタブの形成方法にある。現在使用されている方法によれば、これらのタブは、実際には管状に単一に形成された衣類の製造工程終了時点で、製品の余剰領域、すなわち、例えば、製品の肩ひも又はパンツのクロッチ領域を閉じるために通常互いに縫合して得られるタブに連続する領域を切断して除去することにより得られる。
【０００３】
ある場合では、除去される製品の一部が、価値の低い糸又は製品の残り部分に関係する編成列を少数にして生成されることにより、廃棄によって生じる経済的損失が低減される。
【０００４】
別の方法として、これらのタブは、製品の形成中直接的に、ニードルシリンダをその軸回りに連続回転させ、対応するタブを形成する各編成列の形成終了時点で、どの場合にもタブを形成するために使用される糸を切断することによって得られる。
【０００５】
いずれの場合でもタブを設けるには、製品の切断部分又はタブの端部における糸を要するという事実のために、不満足な最終結果を得ることになり、最終製品を得るために付加的な作業、例えば裾の設定又は仕上げ縁の適用が必要となる。
【特許文献１】英国特許第１０７８４６２号明細書
【発明の開示】
【発明が解決しようとする課題】
【０００６】
本発明の意図は、ボディスーツ、ノースリーブのトップ、アンダーシャツ、ブラジャー、パンツ等のような側方の縫目のない衣類を形成するニット製品を、円形編機により製造する方法を提供することによって、上述の問題を解決することにあり、特に衣類の肩ひも又はパンツの前方及び後方領域を構成するように設計されたタブを得ることができ、さらに円形編機による製品の製造後さらなる仕上げ操作を必要としない。
【０００７】
この意図の範囲内で、本発明の目的は、側方の端部で優れた仕上げ度を有するタブを備えた管状ニット製品が得られる方法を提供することである。
【０００８】
本発明の別の目的は、タブを形成するために必要とされる廃棄部分を除去できる方法を提供することである。
【０００９】
本発明の別の目的は、典型的な円形編機の大量生産力及び直線状編機で得られる製品と比較できる仕上げ度を備えたニット製品を製造することができる方法を提供することである。
【課題を解決するための手段】
【００１０】
この意図、並びにこれらの目的及び以下に明らかとなるその他の目的は、ボディスーツ、ノースリーブのトップ、アンダーシャツ、ブラジャー、パンツ等のような側方の縫目のない衣類を形成するニット製品を円形編機により製造する方法において、ニードルシリンダのセクターに属する針の全部又は一部が、編機の少なくとも一つのフィード又はドロップで編成するために移動し、編機のニードルシリンダが、前記少なくとも一つのフィードで編成するために移動する前記少なくとも一つのセクターの針全部が前記少なくとも一つのフィードで通過するのに十分な振幅の範囲で、その軸回りに反復回動し、前記少なくとも一つのフィードで編成するために移動する前記少なくとも一つのセクターの針によってプリセット数の編成列を形成して、タブを形成する少なくとも一つのステップを備えることを特徴とする方法によって達成される。
【００１１】
本発明のさらなる特徴及び利点は、添付図面の非限定例で示した本発明に係る好ましいが排他的でない実施例の説明からより理解できる。
【００１２】
本発明に係る方法は、ニードルシリンダがその軸回りに両方向に回転可能な円形編機により実行でき、例えば本出願人による同時出願中の特許出願に開示されたタイプの編機である。
【発明を実施するための最良の形態】
【００１３】
図面を参照すると、本発明に係る方法は、特にタブ１ａ〜１ｄの場合にはブラジャー１０の肩ひもを、タブ２ａ〜２ｄの場合にはアンダーシャツ又はベスト２０の肩ひもを、又はタブ３ａ及び３ｂの場合にはパンツ３０の後方及び前方領域を構成するように設計されたタブ１ａ、１ｂ、１ｃ、１ｄ、２ａ、２ｂ、２ｃ、２ｄ、３ａ、３ｂを形成するための少なくとも一つのステップを備える。タブ１ａ〜１ｄ、２ａ〜ｄ、３ａ及び３ｂを形成するこのステップでは、ニードルシリンダの少なくとも一つのセクターに属する針の全部又は一部が、編機の少なくとも一つのプリセット・フィード又はドロップで編成するために移動し、ニードルシリンダが、編成するために移動する対応するセクターの針全部が前記フィードで通過するのに十分な振幅の範囲で、その軸回りに反復回動し、タブ１ａ〜１ｄ、２ａ〜２ｄ及び３ａ、３ｂのために選択された長さに応じた編成列のプリセット数を形成する。
【００１４】
ニードルシリンダがその軸回りに反復回動するので、一又は複数のタブの編成列の形成終了時点で、ニードルシリンダの回転方向が反転され、使用される糸は、切断される必要がなく、反対方向へニードルシリンダを作動させることによって製造される連続する編成列を生成するために使用される。このように、タブ１ａ〜１ｄ、２ａ〜２ｄ及び３ａ、３ｂの側方の端部で後に続く糸を切断することなく、従って、優れた仕上げ度で既に仕上がっている。
【００１５】
好ましくは、タブ１ａ〜１ｄ、２ａ〜２ｄ、３ａ及び３ｂの形成中、前記タブを生成するために使用される一又は複数のセクターの側方の端部に配置されたプリセット数の針は、一対一の構成、すなわち、セクターの両端に配置された一組の針を考慮すると作動せず、代わりに、ニードルシリンダが一方向へ回転する間、この組の一つの針が作動せずにそのフック共に編機のシンカの下方を通過し、一方隣接する針が考慮されたフィードで編成するために移動し、ドロップされたステッチを形成し、ニードルシリンダが反対方向へ回転する間、前回編成から外された針が編成するために移動し、一方隣接する針が作動しないように移動するという選択に応じて考慮されたフィードで作動する。
【００１６】
別の方法として、タブ１ａ〜１ｄ、２ａ〜２ｄ、３ａ及び３ｂの形成中、前記タブを製作するために使用される一又は複数のセクターの側方の端部に配置されたプリセット数の針は、選択に応じて考慮されたフィードで作動可能であり、針は一対一のタック−ステッチ位置にあり、すなわち、セクターの両端に配置された一組の針を考慮して、代わりに、ニードルシリンダが一方向へ回転する間、この組の一つの針が、予め形成されたループを放さずに、考慮されたフィードで供給された糸と係合するためにタック−ステッチ・レベルに持ち上げられ、一方隣接する針が、考慮されたフィードで編成するために移動してドロップされたステッチを形成する。また、ニードルシリンダが反対方向へ回転する間、予めタック−ステッチ・レベルに持ち上げられた針が、ドロップされたステッチを形成するために作動し、一方隣接する針がタック−ステッチ・レベルに持ち上げられる。
【００１７】
設けられる一又は複数のタブを形成するために使われる針が配置される一又は複数のセクターの幅と、編成するために移動する前記一又は複数のセクターの針の数とを、プリセット・プログラムに応じて編成工程中、変えることができ、これによって一又は複数のタブのための意図した形状を得ることができる。
【００１８】
一又は複数のタブ１ａ〜１ｄ、２ａ〜２ｄ、３ａ及び３ｂを形成するステップは、編地の管状部分１１、１２、２１、２２、２４、３１を形成するステップに先行するか続き、編機のニードルシリンダの延長部の全周に沿って分配された針が、編機の少なくとも一つのフィード又はドロップで編成するために移動し、ニードルシリンダは、その軸回りに連続回転することが好ましい。
【００１９】
より詳細に、図１及び２を特に参照して、ブラジャー１０を形成する製品を製造する工程を次に説明する。
【００２０】
最初に、タブ１ａ、１ｂ、１ｃ、１ｄが、ニードルシリンダの軸回りに互いに角度をつけて離隔されたニードルシリンダの四つのセクターに配置された編機の針全部又は一部を使用することによって生成される。各セクターは、編機のフィード又はドロップと相関関係にあり、所定のセクターの針全部又は一部が、編成するために移動する。ニードルシリンダは、その軸回りの順方向又は逆方向毎に、タブ１ａ、１ｂ、１ｃ、１ｄの編成列を形成するようにその軸回りに反復回動する。編地は、タブの側方の端部近傍で、上述したようにタブの側方の端部に対するより大きい整合性をもたせる効果を有する一対一構成で、作動しない又はタック−ステッチ位置にある針を選択することによって生成されることが好ましい。タブ構造の端部近傍では、セクター及び／又はセクターの幅毎に編成するために移動する針の数を増加することができ、これによってタブは製品の残り部分と一体化される。
【００２１】
タブ１ａ〜１ｄの構造の端部では、ニードルシリンダがその軸回りに連続回転し、編機の針が、好ましくは編機のフィード全体を編成するために移動し、これによって編地の管状部分１１が迅速に形成される。
【００２２】
この管状部分１１の端部では、続くステップで編成から排除される針が編地の最終ループをそのフックに保持し、そのフックが編機のシンカのノックオーバー面の下方に位置するように下げて維持される。
【００２３】
続くステップでは、ブラジャーの二つのカップ１３ａ、１３ｂが形成される。このステップ中、ニードルシリンダの軸回りに互いに角度をつけて離隔されたニードルシリンダの二つのセクターの針全部又は一部が使用され、ニードルシリンダがその軸回りに反復回動する。一つのセクターに属する針が、編機の一つのフィードで編成するために移動し、一方、他のセクターに属する針が、編機の別のフィードで編成するために移動する。対応するフィードで編成する各セクターの針の数が徐々に増加し、次に徐々に減少して、対応するカップの意図する形状を得る。二つのフィードで作動する二つのセクターの針が、編機の他の針に対してより多くの編成列を生成して、ブラジャーの二つのカップが形成される。
【００２４】
尚、ブラジャーの二つのカップ１３ａ、１３ｂの成形が、二つのセクターに属する針のみで形成された編成列に加えて、編機の針全部又はそうでなければニードルシリンダの延長部の全周に沿って分配された針を使用して形成された編成列１４を生成することによって改善することができる。
【００２５】
任意であるが、例えば、作動しない針又はタック−ステッチ位置にある針のような適切な針を選択することによって、カップの下方部分、カップの縁近傍又は他の領域で、乳房を支持又は成形するために適した補強領域を得ることができる。
【００２６】
カップ１３ａ、１３ｂの形成後、編地の別の管状部分１２が、ニードルシリンダの全部の針又はニードルシリンダの延長部の全周に沿って分配された前記針の一部、及び編機のフィードの全部又は一部を使用することによって形成される。編地の仕上げ縁を構成するこの管状部分１２は、それ自体公知の方法で、折り畳まれた二重縁として全体的又は部分的に生成することができる。
【００２７】
次に、製品は針から取り外され、編機から外される。ブラジャー１０を仕上げるためには、肩ひもを閉じるべくタブ１ａ、１ｄ及び１ｂ、１ｃの端部を縫合して結合すれば十分である。
【００２８】
図３及び４を特に参照して、アンダーシャツ２０を形成する製品を製造する工程を次に説明する。
【００２９】
最初に、図１及び２を参照して既述した同様の方法でタブ２ａ〜２ｄを生成する。タブ２ａ〜２ｄの生成後、製品は、適切な長さを有する編地の管状部分を生成し、ニードルシリンダをその軸回りに連続回転させて、編機のフィード全体又は一部でニードルシリンダの延長部の全周に沿って分配された編機の針の全部又は前記針の一部を編成するために移動させ、編地の仕上げ縁で製品の編成を終了し、任意に折り畳まれた二重縁を生成することによって、簡単に仕上げることができる。
【００３０】
ブラジャーのカップ２３ａ、２３ｂの設けられたアンダーシャツを得たい場合は、タブ２ａ〜２ｄ及び編地の管状部分２１を形成後、図１及び２のブラジャーのカップ１３ａ、１３ｂを製造するために説明した工程を実行する。図４には、図２の列１４に対応する編成列が参照数字２６によって示されている。
【００３１】
必要ならば、編地の別の管状部分２２を形成した後、同様の管状部分２１を形成し、カップ１３ａ、１３ｂ又は２３ａ、２３ｂの生成と同様の方法で生成されるポケット又はポケット状の領域２５ａ、２５ｂを形成することによって、製品を高めることができるが、対応するフィードで編成するために移動する、ニードルシリンダの一又は複数のセクターにある針の数は、生成されるポケットの数によって、まず徐々に減少し、次に増加して、編成から徐々に排除される針のフックにある編地の最後に形成されたループを維持し、編機のシンカのノックオーバー面の下方にあるそのフックと共に通過して、作動する針の数が増加したときに編成を再開する点が異なる。このように、使用された一又は複数のセクターの針が、編機の他の針に対してより多くの編成列を形成し、製品の反対側に向けて内側に折り込むことができる一又は複数のポーチを形成し、一又は複数のポケット２５ａ、２５ｂを得る。
【００３２】
製品の編成は、編地の仕上げ縁を構成する編地のさらなる管状部分２４で完成する。前記編地の仕上げ縁は、二重の折り畳まれた縁としてそれ自体公知の方法で生成することができる。
【００３３】
次に、製品が針から取り外され、編機から外される。アンダーシャツ２０を仕上げるためには、肩ひもを閉じるべくタブ２ａ、２ｄ及び２ｂ、２ｃの端部を縫合して結合すれば十分である。
【００３４】
図５及び６を特に参照して、パンツ３０を形成する製品を製造する工程を次に説明する。
【００３５】
最初に、ニードルシリンダのセクターに属する針の全部又は一部を使用することによって、タブ３ａは、ニードルシリンダをその軸回りに反復回動し、編成するために編機のフィードでこのセクターの針の全部又は一部を移動させることによって形成される。タブ３ａの形成中、このセクターの針の数又はセクターの幅が、タブ３ａの幅が徐々に増加するために、徐々に増加される。このセクターに属する針によって多くの編成列が形成された後、第１セクターに対して角度をつけて離隔されたニードルシリンダの別のセクターの針の全部又は一部が、他のタブ３ｂを形成するために編機の別のフィードで編成するために移動する。作動する針のセクターの端部近傍で編成するために移動する針の選択による特定の編成の実行を含む、タブ３ａ及び３ｂを生成する方法は、図１及び２のタブ１ａ〜１ｄの生成に関連して既述した方法と同様である。
【００３６】
次に、編地の管状部分３１は、ニードルシリンダの延長部の全周に沿って分配された、編機の針全部又は一部を使用することによって形成される。管状部分３１は、ニードルシリンダをその軸回りに連続回転させ、編機のフィード全体又は一部を使用することによって、生成される。その高さを必要条件に応じて変えることができる管状部分３１は、編地の仕上げ縁を構成し、パンツのバンド又はゴムひもを構成する二重の折り畳み縁として全体又は部分的に備えられる。
【００３７】
次に、製品は、針から取り下げられ、編機から外される。パンツ３０を得るためには、パンツのクロッチ領域を閉じるべくタブ３ａ、３ｂの自由端を一緒に縫合すれば十分である。
【００３８】
提供される衣類のタイプによって、製品を製造するために使用される糸の全部又は一部は、任意に予め張力を印加して弾性糸としてもよい。
【００３９】
製品の編成中、それ自体公知の方法で、製品の美的外観をさらに改善することを意図する特定タイプの編成及び／又はパターンを実行することが可能である。
【００４０】
実際には、円形編機により、ボディスーツ、ノースリーブのトップ、アンダーシャツ、ブラジャー、パンツ等のような商品を形成する製品を、側方の縫目がなく、例えば衣類の肩ひも又はパンツの後方及び前方領域を構成することができ、さらなる仕上げ操作を必要とせずにその側方の端部で既に仕上げられているタブで製造することができるので、本発明に係る方法は、意図した目的を完全に達成することが理解される。
【００４１】
本発明に係る方法の別の利点は、上述したようにタブを備えた製品の製造では廃棄物が発生せず、それゆえ使用された材料が変わらなければ、衣類の製造費用を相当節約できる。
【００４２】
このように発案された方法には、その全てが添付した請求の範囲内にある多くの修正及び変更を加えることができ、また細部の全ては、更に他の技術的に等価な要素に置き換えても良い。
【００４３】
実際に、使用される材料、同じくその寸法は、技術の状態及び必要に応じて如何なるものにしても良い。
【００４４】
本出願が優先権を主張するイタリア特許出願第ＭＩ２００３Ａ００１３６８号における開示内容は、参照してここに盛り込まれる。
【図面の簡単な説明】
【００４５】
【図１】本発明に係る方法によって製造された製品で得られたブラジャーを示す図である。
【図２】図１のブラジャーを形成する製品の製造工程を示す図である。
【図３】本発明に係る方法によって製造された製品で得られたアンダーシャツを示す図である。
【図４】図３のアンダーシャツを形成する製品の製造工程を示す図である。
【図５】本発明に係る方法によって製造された製品で得られたパンツを示す図である。
【図６】図５のパンツを形成する製品の製造工程を示す図である。
【図１】
2008530375.tif 000003
【図２】
2008530375.tif 000004
【図３】
2008530375.tif 000005
【図４】
2008530375.tif 000006
【図５】
2008530375.tif 000007
【図６】
2008530375.tif 000008
【手続補正書】
【提出日】平成19年5月18日(2007.5.18)
【手続補正１】
【補正対象書類名】特許請求の範囲
【補正対象項目名】請求項７
【補正方法】変更
【補正の内容】
【請求項７】
請求項１から６のいずれかに記載の、肩ひもを備えた衣類（１０、２０）を形成するニット製品を製造する方法であり、前記タブ（１ａ、１ｂ、１ｃ、１ｄ、２ａ、２ｂ、２ｃ、２ｄ、３ａ、３ｂ）が衣類（１０、２０）の肩ひもを構成する方法において、
ニードルシリンダ軸回りに互いに角度をつけて離隔されたニードルシリンダの四つのセクターに属する針が、前記セクター毎に異なるフィードで編成するために移動し、ニードルシリンダが、編成するために移動する関連したセクターの針全部が対応するフィードの前方で通過するような振幅の範囲で、その軸回りに反復回動して、肩ひも（１ａ−１ｄ、２ａ−２ｄ）を形成するステップと、
ニードルシリンダがその軸回りに連続回転して、編機の少なくとも一つのフィード又はドロップで、編成するために、ニードルシリンダの延長部の全周に沿って分配されたニードルシリンダの針の全部又は一部を移動させることによって編地の少なくとも一つの管状部分（１１、１２、２１、２２）を形成する少なくとも一つのステップを備えた、製品（１０、２０）の残り部分を形成するステップとを備えることを特徴とする方法。 
【国際調査報告】
2008530375.tif 000009
2008530375.tif 000010
2008530375.tif 000011
2008530375.tif 000012
2008530375.tif 000013